【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
人物を撮像して得られる画像を表示部に表示するよう制御する画像表示手段と、
前記画像表示手段により表示されている画像を外部装置へ送信するよう制御する送信手段と、
前記外部装置を識別するための送信先情報と前記人物を識別するための識別情報とを対応づけて記憶媒体に記憶するよう制御する記憶手段と、
前記画像表示手段により表示されている画像から、該画像の表示領域のうち人物が表示されていると判断された領域の情報を、人物を示す被写体情報として取得する被写体情報取得手段と、
前記被写体情報取得手段により取得された被写体情報と前記記憶手段により記憶媒体に記憶されている識別情報とを比較する比較手段と、
前記比較手段により前記被写体情報が示す人物と同じ人物を示していると判断された識別情報と、該識別情報に対応づけられている送信先情報とを、前記画像とともに同一画面に表示するよう制御する情報表示手段と、
前記情報表示手段により表示されている送信先情報とは異なる複数の送信先情報のうちのいずれか一つを指定して表示する指示を受け付ける変更手段とを有し、
前記情報表示手段は、前記変更手段により受け付けられた指示に基づき、前記情報表示手段により表示されている送信先情報とは異なる送信先情報を指定して表示するよう制御するとともに、該異なる送信先情報に対応づけられている識別情報があると判断された場合は、該識別情報を表示するよう制御することを特徴とする情報処理装置。
【請求項２】
前記送信先情報は文字として表示され、かつ前記識別情報は画像として表示されることを特徴とする請求項１に記載の情報処理装置。
【請求項３】
前記記憶手段は、送信先情報と複数の識別情報とを対応づけて記憶することを特徴とする請求項１または２に記載の情報処理装置。
【請求項４】
前記情報表示手段は、前記比較手段により前記被写体情報が示す人物と同じ人物を示していると判断された識別情報に対応づけられた送信先情報とともに、該送信先情報に対応づけられた複数の識別情報を表示するよう制御することを特徴とする請求項３に記載の情報処理装置。
【請求項５】
前記被写体情報取得手段は、前記画像表示手段により表示されている画像から複数の被写体情報を取得し、
前記情報表示手段は、前記複数の被写体情報のそれぞれに対して、前記比較手段により前記被写体情報が示す人物と同じ人物を示すと判断された識別情報に対応づけられている送信先情報を表示するよう制御することを特徴とする請求項１乃至４のいずれか１項に記載の情報処理装置。
【請求項６】
前記情報表示手段は、前記被写体情報取得手段により取得された被写体情報が示す領域と、前記比較手段により前記被写体情報が示す人物と同じ人物を示すと判断された識別情報とを、それぞれが同じ人物を示すことをユーザが判断可能なように表示するよう制御することを特徴とする請求項１乃至５のいずれか１項に記載の情報処理装置。
【請求項７】
前記変更手段により受け付けた指示により指定可能な複数の送信先情報には、印刷手段を有する印刷装置に関する情報が含まれることを特徴とする請求項１乃至６のいずれか１項に記載の情報処理装置。
【請求項８】
前記被写体情報を選択する選択手段と、
前記選択手段により選択されている被写体情報が示す人物を主被写体として画像処理を行う画像処理手段とを有することを特徴とする請求項１乃至７のいずれか１項に記載の情報処理装置。
【請求項９】
前記情報表示手段は、前記情報表示手段により表示されている画像が前記送信手段により送信済みである外部装置を示す送信先情報と、そうでない送信先情報とを区別して表示するよう制御することを特徴とする請求項１乃至８のいずれか１項に記載の情報処理装置。
【請求項１０】
前記情報表示手段は、該送信先情報が示す外部装置と通信可能である場合とそうでない場合とで区別して送信先情報を表示するよう制御することを特徴とする請求項１乃至９のいずれか１項に記載の情報処理装置。
【請求項１１】
人物を撮像して得られる画像を表示部に表示する画像表示工程と、
前記画像表示工程にて表示されている画像を外部装置へ送信する送信工程と、
前記外部装置を識別するための送信先情報と前記人物を識別するための識別情報とを対応づけて記憶媒体に記憶する記憶工程と、
前記画像表示工程にて表示されている画像から、該画像の表示領域のうち人物が表示されていると判断された領域の情報を、人物を示す被写体情報として取得する被写体情報取得工程と、
前記被写体情報取得工程にて取得された被写体情報と前記記憶工程にて記憶媒体に記憶されている識別情報とを比較する比較工程と、
前記比較工程にて前記被写体情報が示す人物と同じ人物を示していると判断された識別情報と、該識別情報に対応づけられている送信先情報とを、前記画像とともに同一画面に表示する情報表示工程と、
前記情報表示工程にて表示されている送信先情報とは異なる複数の送信先情報のうちいずれか一つを指定して表示する指示を受け付ける変更工程とを有し、
前記情報表示工程では、前記変更工程にて受け付けられた指示に基づき、前記情報表示工程にて表示されている送信先情報とは異なる送信先情報を指定して表示するとともに、該異なる送信先情報に対応づけられている識別情報があると判断された場合は、該識別情報を表示することを特徴とする情報処理装置の制御方法。
【請求項１２】
コンピュータを、請求項１乃至１０のいずれか１項に記載の情報処理装置として機能させるためのプログラム。
【手続補正２】
【補正対象書類名】明細書
【補正対象項目名】発明の名称
【補正方法】変更
【補正の内容】
【発明の名称】情報処理装置、情報処理装置の制御方法、及びプログラム
【手続補正３】
【補正対象書類名】明細書
【補正対象項目名】０００１
【補正方法】変更
【補正の内容】
【０００１】
本発明は、画像データを取り扱い可能な情報処理装置、情報処理装置の制御方法、及びプログラムに関するものである。
【手続補正４】
【補正対象書類名】明細書
【補正対象項目名】０００７
【補正方法】変更
【補正の内容】
【０００７】
本発明は上述したような問題点に鑑みてなされたものであり、撮像した画像データがどの外部装置に送信されるのかを簡単に確認することができるようにすることを目的とする。
【手続補正５】
【補正対象書類名】明細書
【補正対象項目名】０００８
【補正方法】変更
【補正の内容】
【０００８】
本発明の情報処理装置は、人物を撮像して得られる画像を表示部に表示するよう制御する画像表示手段と、前記画像表示手段により表示されている画像を外部装置へ送信するよう制御する送信手段と、前記外部装置を識別するための送信先情報と前記人物を識別するための識別情報とを対応づけて記憶媒体に記憶するよう制御する記憶手段と、前記画像表示手段により表示されている画像から、該画像の表示領域のうち人物が表示されていると判断された領域の情報を、人物を示す被写体情報として取得する被写体情報取得手段と、前記被写体情報取得手段により取得された被写体情報と前記記憶手段により記憶媒体に記憶されている識別情報とを比較する比較手段と、前記比較手段により前記被写体情報が示す人物と同じ人物を示していると判断された識別情報と、該識別情報に対応づけられている送信先情報とを、前記画像とともに同一画面に表示するよう制御する情報表示手段と、前記情報表示手段により表示されている送信先情報とは異なる複数の送信先情報のうちのいずれか一つを指定して表示する指示を受け付ける変更手段とを有し、前記情報表示手段は、前記変更手段により受け付けられた指示に基づき、前記情報表示手段により表示されている送信先情報とは異なる送信先情報を指定して表示するよう制御するとともに、該異なる送信先情報に対応づけられている識別情報があると判断された場合は、該識別情報を表示するよう制御することを特徴とする。
【手続補正６】
【補正対象書類名】明細書
【補正対象項目名】０００９
【補正方法】変更
【補正の内容】
【０００９】
本発明によれば、撮像した画像データがどの外部装置に送信されるのかを簡単に確認することができる。